(57)【要約】【課題】個人認証操作に基づくとともに、無駄な運行が少なく、利便性が維持されるようにエレベーターの運行を制御するホームオートメーションシステムを提供する。【解決手段】ホームオートメーションシステムは、玄関ドアの屋外側に設けられ、共同住宅の居住者を識別するために居住者の個人識別情報を収集する個人識別情報収集装置が備えられる玄関装置と、居住者毎に２つの異なる個人識別情報に対応する２種類のエレベーターの制御内容があらかじめ記憶されている記憶装置、玄関装置で収集された個人識別情報が記憶装置に記憶されている２つの個人識別情報のいずれかと一致するとき玄関ドアを解錠して入室を許可する入室者許可手段および収集された個人識別情報に対応するエレベーターの制御内容に基づきエレベーターを制御する呼び登録判定手段を有するシステム管理装置と、が備えられる。【選択図】図４
2006131373.tif 000002
【特許請求の範囲】
【請求項１】
玄関が共用され、上記玄関に設けられた玄関ドアと上記玄関が設けられた階床から他の各階床に連絡するエレベーターとが備えられた共同住宅を制御するホームオートメーションシステムにおいて、
上記玄関ドアの屋外側に設けられ、上記共同住宅の居住者を識別するために上記居住者の個人識別情報を収集する個人識別情報収集装置が備えられる玄関装置と、
上記居住者毎に２つの異なる上記個人識別情報に対応する２種類のエレベーターの制御内容があらかじめ記憶されている記憶装置、上記玄関装置で収集された上記個人識別情報が上記記憶装置に記憶されている２つの個人識別情報のいずれかと一致するとき上記玄関ドアを解錠して入室を許可する入室者許可手段および上記玄関装置で収集された上記個人識別情報に対応するエレベーターの制御内容に基づき上記エレベーターを制御する呼び登録判定手段を有するシステム管理装置と、
が備えられることを特徴とするホームオートメーションシステム。
【請求項２】
玄関が共用され、上記玄関に設けられた玄関ドアと上記玄関が設けられた階床から各階床に連絡するエレベーターとが備えられた共同住宅を制御するホームオートメーションシステムにおいて、
上記玄関ドアの屋外側に設けられ、上記共同住宅の居住者を識別するために上記居住者の個人識別情報を収集する２つの個人識別情報収集装置が備えられる玄関装置と、
上記居住者毎に上記個人識別情報を収集する２つの上記個人識別情報収集装置にそれぞれ対応する２種類のエレベーターの制御内容があらかじめ記憶されている記憶装置、上記玄関装置で収集された上記個人識別情報が上記記憶されている個人識別情報と一致するとき上記玄関ドアを解錠して入室を許可する入室者許可手段および上記個人識別情報を収集する上記個人識別情報収集装置に対応するエレベーターの制御内容に基づき上記エレベーターを制御する呼び登録判定手段を有するシステム管理装置と、
が備えられることを特徴とするホームオートメーションシステム。
【請求項３】
上記個人識別情報は、指紋情報、静脈情報、掌形情報、虹彩情報、網膜情報および耳形情報のいずれか、またはこれらを組み合わせたバイオメトリックス情報であることを特徴とする請求項１または２に記載するホームオートメーションシステム。
【請求項４】
上記２種類のエレベーターの制御内容は、上記エレベーターのかごの上記玄関階への呼び登録の要否であることを特徴とする請求項１乃至３のいずれかに記載するホームオートメーションシステム。
【発明の詳細な説明】
【技術分野】
【０００１】
この発明は、玄関を共有する共同住宅のエレベーターの制御を行うホームオートメーションシステムに関するものである。
【背景技術】
【０００２】
従来の玄関を共有する共同住宅に備えられたエレベーターの制御システムは、玄関に設置された個人識別装置が居住者を認識すると、玄関のドアを解錠するとともにエレベーターの乗場呼びを自動登録し、エレベーターかごを玄関階に配車し、戸開待機させる。そして、エレベーターの制御システムは、エレベーターが混雑しているか否かを判定するエレベーター状態判定手段と、個人識別装置が居住者を認識した後で乗場呼び自動登録する前、エレベーター状態判定手段によりエレベーターが混雑していると判定された場合、居住者にエレベーターを利用するか否かを選択させ、居住者がエレベーターを利用しない時には乗場呼び自動登録を行わないようにさせるエレベーター利用選択装置と、を備えている（例えば、特許文献１参照）。
【０００３】
【特許文献１】特開２００３−０１２２４３号公報
【発明の開示】
【発明が解決しようとする課題】
【０００４】
しかし、従来のエレベーターの制御システムにおいて、エレベーターが混雑していないときに居住者が個人認証操作を行うと、常に玄関階へエレベーターかごが呼び寄せられるので、居住者にエレベーターを使う意思がない場合でも、エレベーターかごが呼び登録され、無駄な運転が発生してしまうという問題がある。
また、エレベーターが混雑しているときには、エレベーターを利用するか否かを選択する操作を行わなければならないので、手間が掛かってしまうという問題がある。
また、居住階が玄関階の居住者はエレベーターを利用する必要がないため、玄関階の居住者の個人認証操作に対してエレベーターのかごが呼ばれないように構成されているので、日頃エレベーターを利用する意思がない人が居住階を玄関階として偽って登録しておくことにより、個人認証操作を行ってもかごの配車をしないようにすることが可能であるが、実際の居住階と異なる情報をシステムに登録されているため、本来当該居住者宛に通知されるべきメッセージを通知できないという問題がある。
【０００５】
この発明の目的は、個人認証操作に基づくとともに、無駄な運行が少なく、利便性が維持されるようにエレベーターの運行を制御するホームオートメーションシステムを提供することである。
【課題を解決するための手段】
【０００６】
この発明に係わるホームオートメーションシステムは、玄関が共用され、上記玄関に設けられた玄関ドアと上記玄関が設けられた階床から他の各階床に連絡するエレベーターとが備えられた共同住宅を制御するホームオートメーションシステムにおいて、上記玄関ドアの屋外側に設けられ、上記共同住宅の居住者を識別するために上記居住者の個人識別情報を収集する個人識別情報収集装置が備えられる玄関装置と、上記居住者毎に２つの異なる上記個人識別情報に対応する２種類のエレベーターの制御内容があらかじめ記憶されている記憶装置、上記玄関装置で収集された上記個人識別情報が上記記憶装置に記憶されている２つの個人識別情報のいずれかと一致するとき上記玄関ドアを解錠して入室を許可する入室者許可手段および上記玄関装置で収集された上記個人識別情報に対応するエレベーターの制御内容に基づき上記エレベーターを制御する呼び登録判定手段を有するシステム管理装置と、が備えられる。
【発明の効果】
【０００７】
この発明に係わるホームオートメーションシステムの効果は、あらかじめ個人情報テーブルに登録された２種類のエレベーター制御情報を２つの個人識別情報に基づいて選択することにより、エレベーターかごの玄関階への配車の要否を選択できるので、エレベーターの無駄な運転による運行効率の低下を防止することができるとともに電力消費の節約にも寄与できる。
【発明を実施するための最良の形態】
【０００８】
図１は、この発明の実施の形態１に係わるホームオートメーションシステムが装備された共同住宅の様子を示す図である。図２は、実施の形態１に係わるホームオートメーションシステムの構成図である。図３は、実施の形態１に係わるシステム管理装置に記憶されている指紋情報テーブルのデータ構造を示す図である。図４は、実施の形態１に係わるシステム管理装置に記憶されている個人情報テーブルのデータ構造を示す図である。図５は、実施の形態１に係わるシステム管理装置に記憶されている宅配ロッカー管理テーブルのデータ構造を示す図である。図６は、実施の形態１に係わるシステム管理装置の機能ブロック図である。
【０００９】
この発明の実施の形態１に係わるホームオートメーションシステムは、図１に示すように、玄関１を共用し、エレベーター２が備えられた共同住宅に適用することができる。そして、このホームオートメーションシステムが制御する対象は、共用の玄関１に備えられた玄関ドア３、各居住階を連絡するエレベーター２および玄関１に併設された宅配ロッカー４である。
この玄関ドア３は、図示しない電気錠により旋錠／解錠が行われ、解錠されている間に居住者が入室することができる。電気錠は、電気錠制御盤５からの信号により旋錠／解錠される。
また、宅配ロッカー４は、屋外側から配達物が収納され、屋内側から配達物が引き取られる。宅配ロッカー４には複数の収納ボックス６が装備されている。さらに、宅配ロッカー４には、配達物の届け先の部屋番号、収納ボックス番号、収納完了からなる収納情報を宅配業者が入力するテンキー入力装置７が備えられている。
【００１０】
そして、実施の形態１に係わるホームオートメーションシステムは、図１に示すように、玄関１の屋外側に備えられた玄関装置１０、エレベーター２を制御するエレベーター制御装置１１、ホームオートメーションシステム全体を管理するシステム管理装置１２から構成されている。
玄関装置１０は、図２に示すように、共同住宅の居住者か否かを識別するための個人識別情報としてのバイオメトリックス情報を入力する個人識別情報収集装置としての指紋リーダー１４と識別の結果等を報知する報知装置１５とが備えられている。この実施の形態１では、バイオメトリックス情報として指紋情報が用いられている。居住者はこの指紋リーダー１４に指を置いて、指紋情報を読み取らせる。
なお、バイオメトリックス情報として、指紋情報以外に静脈情報、掌形情報、虹彩情報、網膜情報、耳形情報など個人に備わっていて、２種類の情報が得られるものであれば何れでもよく、また、これらを組み合わせて構成してもよい。
【００１１】
エレベーター制御装置１１は、図２に示すように、システム管理装置１２、エレベーターかご１７およびエレベーター乗場釦１８から入力された情報をプログラムに従って演算処理し、演算結果をエレベーターかご１７、エレベーター乗場釦１８、システム管理装置１２に送る中央演算処理装置（ＣＰＵ）２０、ＣＰＵ２０を制御するプログラムおよび演算処理結果が記憶される記憶装置２１、システム管理装置１２、エレベーターかご１７およびエレベーター乗場釦１８との間で情報の送受信を行うインターフェース装置（Ｉ／Ｆ装置）２２から構成されている。
【００１２】
システム管理装置１２は、図２に示すように、エレベーター制御装置１１、宅配ロッカー４、玄関装置１０から入力された情報をプログラムに従って演算処理し、演算結果をエレベーター制御装置１１、玄関装置１０および電気錠制御盤５に送る中央演算処理装置（ＣＰＵ）２４、ＣＰＵ２４を制御するプログラム、居住者に係わる指紋データ情報、個人情報および演算結果が記憶されている記憶装置２５、玄関装置１０、エレベーター制御装置１１、宅配ロッカー４、電気錠制御盤５との間で情報の送受信を行うインターフェース装置（Ｉ／Ｆ装置）２６から構成されている。
【００１３】
次に、システム管理装置１２の記憶装置２５に記憶されている居住者の指紋情報テーブルと個人情報テーブルについて図３、図４を参照して説明する。図３は、居住者の指紋情報テーブルのデータ構造を示す図である。図４は、居住者の個人情報テーブルのデータ構造を示す図である。なお、この対象の共同住宅には、居住者がｎ人として説明する。そして、居住者が引っ越しなどで変更があったとき、適宜いなくなった人の情報を削除し、新たに居住者になった人の情報を追加する。
【００１４】
指紋情報テーブル３０には、図３に示すように、３つのフィールドにそれぞれ居住者を識別するための居住者番号３１と、２つの当該居住者の参照用の指紋データ情報３２、３３が格納されている。そして各居住者のデータが各レコードに格納されている。参照用の指紋データ情報３２、３３は、指紋情報の特徴点などを数値化した情報であり、個人識別情報として入力された指紋情報と照合するために予め参照用の指紋情報を収集し、それを数値化したものである。また、２つの指紋データ情報３２、３３は、当該居住者の異なる指、例えば、一方が人差指、他方が中指、の指紋情報を数値化したものである。
【００１５】
個人情報テーブル３５には、図４に示すように、５つのフィールドにそれぞれ居住者を識別するための居住者番号３６、当該居住者が居住する階床を示す居住階３７、当該居住者が居住する部屋を識別する部屋番号３８、指紋情報テーブル３０の第１の指紋データ情報３２に対応する第１のエレベーター制御情報（例えば、エレベーターのかごを玄関階に配車することを望んでいるので、エレベーターのかごの玄関階への呼び登録を行う。）３９、指紋情報テーブル３０の第２の指紋データ情報３３に対応する第２のエレベーター制御情報（例えば、エレベーターのかごを玄関階に配車することを望んでいないので、エレベーターのかごの玄関階への呼び登録を行わない。）４０が格納されている。そして各居住者のデータが各レコードに格納されている。
なお、第１のエレベーター制御情報３９および第２のエレベーター制御情報４０は、居住者が任意に決めることができる。
【００１６】
次に、システム管理装置１２の記憶装置２５に記憶されている宅配ロッカー情報テーブルについて図５を参照して説明する。図５は、宅配ロッカー情報テーブルのデータ構造を示す図である。
宅配ロッカー管理テーブル４２には、２つのフィールドにそれぞれ配達物が収納された収納ボックス６を識別できるボックス番号４３、当該収納ボックス６に収納された配達物の届け先である届け先部屋番号４４が格納されている。この宅配ロッカー管理テーブル４２には、宅配業者が配達物を収納ボックス６に収納したとき、ボックス番号４３と届け先部屋番号４４とが格納され、居住者が収納ボックス６から配達物を引き取ったとき、該当する届け先部屋番号が削除される。
【００１７】
次に、システム管理装置１２の機能を図６を参照して説明する。
システム管理装置１２は、図６に示すように、玄関装置１０から入力された指紋情報に基づき居住者か否かを判断し、居住者と判断したとき、電気錠制御盤５に解錠を指示する入室者許可手段４６、入室者許可手段４６により居住者と判断されたとき、当該居住者に対して通知すべき情報の有無を判断し、有るとき、玄関装置１０に該当する情報を送る情報通知判定手段４７、入室者許可手段４６により居住者と判断されたとき、玄関装置１０から入力された指紋情報に基づきエレベーターかご１７の玄関階への呼び登録の要否を判定する呼び登録判定手段４８、宅配ロッカー管理テーブル４２を管理する宅配ロッカー管理手段４９を有している。
【００１８】
入室者許可手段４６は、玄関装置１０から入力された指紋情報により指紋情報テーブル３０を検索し、本人であると判定できる一致率の指紋データ情報があるとき、当該指紋データ情報に対応する居住者が認証操作を行ったと判断し、電気錠制御盤５に解錠指令を行う。
【００１９】
情報通知判定手段４７は、入室者許可手段４６により求められた認証操作を行った人の居住者番号により個人情報テーブルを検索し、当該居住者番号に対応する部屋番号を求める。そして、当該部屋番号により宅配ロッカー管理テーブル４２を検索し、宅配ロッカー４に配達物が収納されているか否かを判断する。宅配ロッカー４に配達物が収納されているとき、ボックス番号４３を求め、当該ボックス番号４３の収納ボックス６に配達物があることを玄関装置１０に送信する。なお、玄関装置１０の報知装置１５では、この情報に基づいて、収納ボックス６に配達物があることをボックス番号４３と合わせて報知する。報知を受けた入室者は、当該収納ボックス６から配達物を引き取る。
【００２０】
呼び登録判定手段４８は、入室者許可手段４６により求められた認証操作を行った人の居住者番号３１により個人情報テーブル３５を検索し、当該居住者番号に対応する居住階３７を求める。そして、求められた当該居住階３７が玄関階のとき、エレベーターかご１７の玄関階への呼び登録を行わない。また、求められた当該居住階３７が玄関階以外のとき、認証操作により入力された指紋情報が指紋情報テーブル３０の当該居住者番号３１のレコードに格納されている第１の指紋データ情報３２または第２の指紋データ情報３３のいずれかであるか求める。その後、求められた第１の指紋データ情報３２または第２の指紋データ情報３３により個人情報テーブル３５を検索し、エレベーターかご１７を玄関階に呼び登録するか否かを求める。そして、エレベーターかご１７を玄関階に呼び登録する場合、エレベーター制御装置１１にエレベーターかご１７を玄関階に呼び登録するように呼び登録指令を送信する。なお、エレベーター制御装置１１は、呼び登録指令に基づいて、エレベーターかご１７を玄関階に配車する。
【００２１】
宅配ロッカー管理手段４９は、宅配ロッカー４から入力される収納情報および引き取り情報に基づき、宅配ロッカー管理テーブル４２を更新する。
【００２２】
次に、宅配業者が宅配ロッカー４に配達物を収納するときと居住者が宅配ロッカーから配達物を引き取るときとのホームオートメーションシステムの動作について図７、図８を参照して説明する。図７は、宅配業者が宅配ロッカー４に配達物を収納し、宅配ロッカー管理テーブル４２に情報が格納される手順を示すフローチャートである。また、図８は、居住者が配達物を引き取り、宅配ロッカー管理テーブル４２から該当する情報が削除される手順を示すフローチャートである。
【００２３】
図７に示すように、ステップ（以下、Ｓと略記する。）１０１では、宅配業者は、空いている収納ボックス（収納ボックスの屋外側の扉の上方に装備されたランプが点いていない収納ボックスであり、ランプが点いている収納ボックスは配達物が収納されており、屋外側の扉は開けられないようになっている。）６に配達物を入れ、屋外側の扉を閉め、テンキー入力装置７からボックス番号と部屋番号とを入力し、収納釦を押すと、屋外側の扉が旋錠される。さらに、ボックス番号、部屋番号および収納完了からなる収納情報がシステム管理装置１２に伝送される。
Ｓ１０２では、システム管理装置１２の宅配ロッカー管理手段４９は、収納情報を受信すると、宅配ロッカー管理テーブル４２のボックス番号のレコードに部屋番号を格納する。
【００２４】
図８に示すように、Ｓ２０１では、居住者は収納ボックス６から配達物を引き取るために設定された暗証番号を入力し、屋内側の扉の上方に装備されている引き取り釦を押すと、扉が開いて配達物を引き取ることができる。そして、引き取り完了とボックス番号からなる引き取り情報がシステム管理装置１２に伝送される。
Ｓ２０２では、システム管理装置１２の宅配ロッカー管理手段４９は、引き取り情報を受信すると、該当するボックス番号に係わるフィールドの情報を削除する。
このようにして宅配ロッカー管理テーブル４２のデータが更新される。
【００２５】
次に、共同住宅に共用玄関から入室するときのホームオートメーションシステムの動作について図９を参照して説明する。
図９に示すように、Ｓ３０１では、システム管理装置１２の入室者許可手段４６は、玄関装置１０が認証操作されて、指紋情報が入力されたか否かを判断する。指紋情報が入力されていないとき、Ｓ３０１を繰り返す。一方、指紋情報が入力されたとき、Ｓ３０２へ進む。
Ｓ３０２では、入室者許可手段４６は、入力された指紋情報から特徴点を抽出して当該指紋情報の指紋データ情報を作成し、指紋情報テーブル３０に当該指紋データ情報と一致する指紋データ情報が登録されているか否かを判断する。指紋データ情報が登録されていないとき、Ｓ３０３へ進み、指紋データ情報が登録されているとき、Ｓ３０４へ進む。
Ｓ３０３では、入室者許可手段４６は、認証操作を行った人が居住者以外、または指紋情報の入力が間違っていると判断し、エラーメッセージまたは来訪者向けメッセージを玄関装置１０に伝送し、玄関装置１０からそのメッセージが認証操作を行った人に報知されて、認証操作に対応する動作を終了する。
Ｓ３０４では、入室者許可手段４６は、一致した指紋データ情報３２、３３に対応する居住者番号３１より個人情報テーブル３５を検索し、居住者番号３６に対応する部屋番号３８を求める。
Ｓ３０５では、情報通知判定手段４７は、求められた部屋番号３８により宅配ロッカー管理テーブル４２を検索し、部屋番号宛に配達物が有るか否かを判断する。配達物があるとき、Ｓ３０６へ進み、配達物がないとき、Ｓ３０７へ進む。
Ｓ３０６では、情報通知判定手段４７は、ボックス番号４３と合わせて配達物がある旨、玄関装置１０に送信し、Ｓ３０７へ進む。なお、このとき玄関装置１０は、認証操作した人にボックス番号４３の収納ボックス６に配達物がある旨報知する。
Ｓ３０７では、入室者許可手段４６は、電気錠制御盤５に共用の玄関ドア３の電気錠を解錠するように解錠指令を送信する。なお、このとき電気錠制御盤５は、玄関ドア３の電気錠を解錠する。
Ｓ３０８では、呼び登録判定手段４８は、求められた居住者番号３６に基づき個人情報テーブル３５から居住階３７を求める。そして、求められた居住階３７が玄関階であるか否かを判断する。玄関階である場合、認証操作に対応する動作を終了する。一方、玄関階でない場合、Ｓ３０９へ進む。
Ｓ３０９では、呼び登録判定手段４８は、認証操作にともなって入力された指紋情報が指紋情報テーブル３０に登録されている第１の指紋データ情報３２または第２の指紋データ情報３３のいずれに一致するか判断する。第１の指紋データ情報３２に一致するとき、Ｓ３１０へ進み、第２の指紋データ情報３３に一致するとき、Ｓ３１１へ進む。
Ｓ３１０では、呼び登録判定手段４８は、個人情報テーブル３５に第１のエレベーター制御情報３９として登録されている情報を読み出し、Ｓ３１２へ進む。
Ｓ３１１では、呼び登録判定手段４８は、個人情報テーブル３５に第２のエレベーター制御情報４０として登録されている情報を読み出し、Ｓ３１２へ進む。
Ｓ３１２では、呼び登録判定手段４８は、読み出された情報に基づき、エレベーターかご１７を玄関階に呼び登録するか否かを判断する。呼び登録が必要ない場合、認証操作に対応する動作を終了する。呼び登録が必要な場合、Ｓ３１３へ進む。
Ｓ３１３では、呼び登録判定手段４８は、エレベーター制御装置１１にエレベーターかご１７を玄関階に配車するように呼び登録指令を送信して、認証操作に対応する動作を終了する。なお、エレベーター制御装置１１は、呼び登録指令を受信すると、エレベーターかご１７を玄関階に配車する。
【００２６】
次に、エレベーターかごの玄関階への呼び登録についてより具体的に説明する。
例えば、居住者番号が１の居住者の場合、第１の指紋データ情報３２に対応する第１のエレベーター制御情報３９として玄関階へ配車が登録されている。また、第２の指紋データ情報３３に対応する第２のエレベーター制御情報４０として配車無しが登録されている。そして、この居住者が普段はエレベーターを使わずに階段を使おうとしている場合、普段、この居住者は第２の指紋情報を用いて認証操作を行うので、エレベーターかご１７の玄関階への配車は行われない。しかし、この居住者が重い荷物を持っている場合などエレベーターを使用しようと思ったとき、この居住者は第２の指紋情報を用いて認証操作を行うので、エレベーターかご１７が玄関階に配車される。このように異なる指の指紋情報を用いて認証操作を行えば、エレベーターかご１７の玄関階への配車が選択できる。
【００２７】
なお、図４にも示すように、必ずしもエレベーターかご１７の玄関階への呼び登録を選択せずに、常に配車を選択してあってもよい。また、逆に常に配車無しであってもよい。
【００２８】
このようにあらかじめ個人情報テーブル３５に２種類のエレベーター制御情報３９、４０を登録しておき、この２種類のエレベーター制御情報３９、４０を２つの個人識別情報に基づいて選択することにより、エレベーターかご１７の玄関階への配車の要否を選択できるので、エレベーター２の無駄な運転による運行効率の低下を防止することができるとともに電力消費の節約にも寄与できる。
また、効率的なエレベーター２の運行のために、個人に備わっている同じ種類の２つのバイオメトリックス情報を用いるので、バイオメトリックス情報取得装置があらかじめ備わっているホームオートメーションシステムであれば、バイオメトリックス情報を１つ増やすだけでシステムを構成することができる。
また、１回の認証操作を行えばよいので、操作回数を増やすことも必要ない。
【００２９】
実施の形態２．
図１０は、この発明の実施の形態２に係わるホームオートメーションシステムの構成図である。
実施の形態２に係わるホームオートメーションシステムは、実施の形態１に係わるホームオートメーションシステムと玄関装置１０ｂが異なっており、その他は同様であるので、同様な部分に同じ符号を付記して説明を省略する。
実施の形態２に係わる玄関装置１０ｂは、実施の形態１の玄関装置１０とは個人識別情報収集装置の数が１つと２つの違いがある。
２つの個人識別情報収集装置としての照合器Ａ５１ａおよび照合器Ｂ５１ｂのいずれかから個人識別情報が入力されたかにより、エレベーターかご１７の呼び登録を選択する。
例えば、照合器Ａ５１ａから個人識別情報が入力されたとき、呼び登録判定手段４８は第１のエレベーター制御情報３９を個人情報テーブル３５から読み出し、照合器Ｂ５１ｂから同じ個人識別情報が入力されたとき、呼び登録判定手段４８は第２のエレベーター制御情報４０を個人情報テーブル３５から読み出し、この読み出した情報に基づきエレベーターかご１７の呼び登録の要否を判定する。
【００３０】
このようなホームオートメーションシステムは、照合器５１ａ、５１ｂが２つ用意され、そのいずれかを選択することによりエレベーターかご１７の呼び登録を選択できるので、１つの個人識別情報だけでよく、簡便である。
【図面の簡単な説明】
【００３１】
【図１】この発明の実施の形態１に係わるホームオートメーションシステムが装備された共同住宅の様子を示す図である。
【図２】実施の形態１に係わるホームオートメーションシステムの構成図である。
【図３】実施の形態１に係わるシステム管理装置に記憶されている指紋情報テーブルのデータ構造を示す図である。
【図４】実施の形態１に係わるシステム管理装置に記憶されている個人情報テーブルのデータ構造を示す図である。
【図５】実施の形態１に係わるシステム管理装置に記憶されている宅配ロッカー管理テーブルのデータ構造を示す図である。
【図６】実施の形態１に係わるシステム管理装置の機能ブロック図である。
【図７】宅配業者が宅配ロッカーに配達物を収納し、宅配ロッカー情報テーブルに情報が格納される手順を示すフローチャートである。
【図８】居住者が配達物を引き取り、宅配ロッカー情報テーブルから該当する情報が削除される手順を示すフローチャートである。
【図９】共同住宅に共用玄関から入室するときのホームオートメーションシステムの動作を示すフローチャートである。
【図１０】この発明の実施の形態２に係わるホームオートメーションシステムの構成図である。
【符号の説明】
【００３２】
１  玄関、２  エレベーター、３  玄関ドア、４  宅配ロッカー、５  電気錠制御盤、６  収納ボックス、７  テンキー入力装置、１０、１０ｂ  玄関装置、１１  エレベーター制御装置、１２  システム管理装置、１４  指紋リーダー、１５  報知装置、１７  エレベーターかご、１８  エレベーター乗場釦、２０、２４  中央処理演算装置（ＣＰＵ）、２１、２５  記憶装置、２２、２６  インターフェース装置（Ｉ／Ｆ装置）、３０  指紋情報テーブル、３１、３６  居住者番号、３２、３３  指紋データ情報、３５  個人情報テーブル、３７  居住階、３８  部屋番号、３９、４０  エレベーター制御情報、４２  宅配ロッカー管理テーブル、４３  ボックス番号、４４  届け先部屋番号、４６  入室者許可手段、４７  情報通知判定手段、４８  呼び登録判定手段、４９  宅配ロッカー管理手段、５１ａ、５１ｂ  照合器。
【図１】
2006131373.tif 000003
【図２】
2006131373.tif 000004
【図３】
2006131373.tif 000005
【図４】
2006131373.tif 000006
【図５】
2006131373.tif 000007
【図６】
2006131373.tif 000008
【図７】
2006131373.tif 000009
【図８】
2006131373.tif 000010
【図９】
2006131373.tif 000011
【図１０】
2006131373.tif 000012